(57)【要約】      （修正有）【課題】設置方向を変えることにより使用の利便性を高めた電源プラグを提供する。【解決手段】回転部１、ベース２及び導電プレートを備える電源プラグであって、前記回転部は、一端に接続孔を有する刃部を有する回転ケース１０と、少なくとも二つのスリットが形成されたカバーからなり、カバーと回転ケースとの間に結合機構が設けられ、前記ベースは、二つの収容ケースからなり、その一つの収容ケース２０に収容部が形成され、該収容部の底部中央に導電部材を設けた二組の突出ブロックが設けられ、回転部とベースとの間に係合機構が設けられ、前記導電プレートは、湾曲プレートと接続孔を有する突出プレートを有し、該湾曲プレートは突出プレートが回転ケースの内部に延伸され、該突出プレートの接続孔と刃部１０２の接続孔に電線が設けられ、該カバーに前記導電部材と対応する中空部を形成する。【選択図】図１
0003148668.tif 000002
【実用新案登録請求の範囲】
【請求項１】
回転部、ベース及び導電プレートを備える電源プラグであって、
前記回転部は、回転ケースとカバーからなり、該回転ケースの一側に互いに平行の刃部が設けられ、該回転ケースの内部における刃部の一端に接続孔が形成され、該カバーに少なくとも二つのスリットが形成され、且つカバーと回転ケースとの間に結合機構が設けられることにより、カバーと回転ケースを結合させ、
前記ベースは、二つの収容ケースからなり、内部に回路板が設けられると共に、一側に電源コードを設けるための切欠部が形成され、その一つの収容ケースに前記回転部を収容するための収容部が形成され、該収容部の底部中央に二組の突出ブロックが設けられると共に、各組の突出ブロックにベースの内部における回路板と電気接続する導電部材が設けられ、該回転部とベースとの間に係合機構が設けられることにより、回転部をベースに係合させ、
前記導電プレートは、夫々カバーに平行と垂直する湾曲プレートと突出プレートを有し、該湾曲プレートは、カバーと結合されることにより、突出プレートがカバーのスリットを通じて回転ケースの内部に延伸され、該突出プレートに接続孔が形成され、該接続孔と刃部の接続孔に電線が設けられ、該カバーに前記導電部材と対応する中空部が形成されることを特徴とする、
設置方向を変える電源プラグ。
【請求項２】
前記回転部と収容ケースの収容部は、円形であり、前記結合機構は、前記回転ケースの周縁に設けられる四つの係合プレートと、前記収容部の周縁に形成されると共に、該係合プレートと対応する四つの係合溝と、該係合溝と連通する係合部とを有することを特徴とする、請求項１に記載の設置方向を変える電源プラグ。
【請求項３】
前記係合機構は、前記係合プレートに形成される位置決め溝と、該カバーの周縁に設けられると共に、該位置決め溝と対応する位置決めプレートとを有し、又、前記収容部に更に係止機構が設けられ、該係止機構は、切欠部に向かう収容部にの周縁に係止ブロックが設けられ、該係止ブロックに、該係止ブロックをベースの内部へ押圧する可能の係止部が一体に設けられ、前記回転ケースにおける係合プレートの傍に係止ブロックを係止するための凹部が形成されることを特徴とする、請求項２に記載の設置方向を変える電源プラグ。
【考案の詳細な説明】
【技術分野】
【０００１】
本考案は、特に設置方向を変えることにより、使用の利便性を高める電源プラグに関するものである。
【背景技術】
【０００２】
全ての電気製品は、例えば、扇風機やパソコンや携帯電話などが電源プラグによって電源ソケット又は延長コードと電気接続する。又、この電源プラグは一般によく使用されるものであるため、特に特許文献又は非特許文献に記載されていない。
【考案の開示】
【考案が解決しようとする課題】
【０００３】
しかしながら、前記従来の電源プラグの内部に回路板や変圧部材が設けられるので、体積が大きいという問題を有する。
更に、この体積が大きい電源プラグを使用する時、電源プラグを回転できないため、使用していない電源ソケットの挿入口をカバーすることにより、他の電源プラグを挿入できないという問題があり、非常に不便である。
【０００４】
そこで、出願されたのが本考案であって、設置方向を変えることにより、使用の利便性を高める電源プラグを提供することを目的としている。
【課題を解決するための手段】
【０００５】
本願の第１考案は、回転部、ベース及び導電プレートを備える電源プラグであって、前記回転部は、回転ケースとカバーからなり、該回転ケースの一側に互いに平行の刃部が設けられ、該回転ケースの内部における刃部の一端に接続孔が形成され、該カバーに少なくとも二つのスリットが形成され、且つカバーと回転ケースとの間に結合機構が設けられることにより、カバーと回転ケースを結合させ、前記ベースは、二つの収容ケースからなり、内部に回路板が設けられると共に、一側に電源コードを設けるための切欠部が形成され、その一つの収容ケースに前記回転部を収容するための収容部が形成され、該収容部の底部中央に二組の突出ブロックが設けられると共に、各組の突出ブロックにベースの内部における回路板と電気接続する導電部材が設けられ、該回転部とベースとの間に係合機構が設けられることにより、回転部をベースに係合させ、前記導電プレートは、夫々カバーに平行と垂直する湾曲プレートと突出プレートを有し、該湾曲プレートは、カバーと結合されることにより、突出プレートがカバーのスリットを通じて回転ケースの内部に延伸され、該突出プレートに接続孔が形成され、該接続孔と刃部の接続孔に電線が設けられ、又、該カバーに前記導電部材と対応する中空部が形成されることを特徴とする、設置方向を変える電源プラグ、を提供する。
【０００６】
本願の第２考案は、前記回転部と収容ケースの収容部は、円形であり、前記結合機構は、前記回転ケースの周縁に設けられる四つの係合プレートと、前記収容部の周縁に形成されると共に、該係合プレートと対応する四つの係合溝と、該係合溝と連通する係合部とを有することを特徴とする、前記第１考案に記載の設置方向を変える電源プラグ、を提供する。
【０００７】
本願の第３考案は、前記係合機構は、前記係合プレートに形成される位置決め溝と、該カバーの周縁に設けられると共に、該位置決め溝と対応する位置決めプレートとを有し、又、前記収容部に更に係止機構が設けられ、該係止機構は、切欠部に向かう収容部にの周縁に係止ブロックが設けられ、該係止ブロックに、該係止ブロックをベースの内部へ押圧する可能の係止部が一体に設けられ、前記回転ケースにおける係合プレートの傍に係止ブロックを係止するための凹部が形成されることを特徴とする前記第２考案に記載の設置方向を変える電源プラグ、を提供する。
【考案の効果】
【０００８】
本考案は上記の課題を解決するためのものであり、電源プラグの設置方向を変換することができ、電源プラグのベースが使っていないソケットの挿入口に避けて使用することにより、電源プラグを使用する利便性を高めることができる。
【考案を実施するための最良の形態】
【０００９】
以下、添付図面を参照して本考案の好適な実施の形態を詳細に説明する。
【００１０】
図１は本考案に係る設置方向を変える電源プラグの斜視図であり、図２は本考案に係る設置方向を変える電源プラグの分解斜視図であり、図３は本考案に係る設置方向を変える電源プラグにおける回転ケースとカバーを示す分解斜視図であり、図４は本考案に係る設置方向を変える電源プラグにおける導電プレートを示す斜視図であり、図５は本考案に係る設置方向を変える電源プラグにおける導電プレートとカバーの結合状態を示す断面図であり、図６は本考案に係る設置方向を変える電源プラグの使用状態を示す平面図であり、図７は図６に示した電源プラグの内部構造を示す平面図である。
【００１１】
図１乃至図４に示すように、本考案に係る設置方向を変える電源プラグは、回転部（１）と、該回転部（１）を収容する中空のベース（２）と、導電プレート（３）と、を備え、
前記回転部（１）は、回転ケース（１０）とカバー（１１）からなり、該回転ケース（１０）の一側に互いに平行の刃部（１０２）が設けられ、該回転ケース（１０）の内部における刃部（１０２）の一端に接続孔（１０２０）が形成され、該カバー（１１）に少なくとも二つのスリット（１１２）が形成され、且つカバー（１１）と回転ケース（１０）との間に結合機構が設けられることにより、カバー（１１）と回転ケース（１０）を結合させる。
【００１２】
前記ベース（２）は、二つの収容ケース（２０）からなり、内部に回路板（符号なし）が設けられると共に、一側に電源コードを設けるための切欠部（２２）が形成され、その一つの収容ケース（２０）に前記回転部（１）を収容するための収容部（２００）が形成され、該収容部（２００）の底部中央に二組の突出ブロック（２０３）が設けられると共に、各組の突出ブロック（２０３）にベースの内部における回路板と電気接続する導電部材（２１）が設けられ、又、回転部（１）とベース（２）との間に係合機構が設けられることにより、回転部（１）をベース（２）に係合させる。
【００１３】
前記導電プレート（３）は、夫々カバー（１１）に平行と垂直する湾曲プレート（３１）と突出プレート（３０）を有し、該湾曲プレート（３１）は、カバー（１１）と結合されることにより、突出プレート（３０）がカバー（１１）のスリット（１１２）を通じて回転ケース（１０）の内部に延伸され、該突出プレート（３０）に接続孔（３００）が形成され、該接続孔（３００）と刃部（１０２）の接続孔（１０２０）に電線が設けられることにより、導電プレート（３）と刃部（１０２）を電気接続させ、又、該カバー（１１）に前記導電部材（２１）と対応する中空部（１１３）が形成される。
【００１４】
又、図１乃至図３に示すように、前記回転部（１）は、各種の形状になってもよく、収容部（２００）の形状は、該回転部（１）と対応し、本実施例の回転部（１）は、円形であり、又、前記結合機構は、前記回転ケース（１０）の周縁に設けられる四つの係合プレート（１００）と、前記収容部（２００）の周縁に形成されると共に、該係合プレート（１００）と対応する四つの係合溝（２０１）と、該係合溝（２０１）と連通する係合部（２０２）とを有し、一方、前記係合機構は、前記係合プレート（１００）に形成される位置決め溝（１０１）と、該カバー（１１）の周縁に設けられると共に、該位置決め溝（１０１）と対応する位置決めプレート（１１１）とを有し、又、収容部（２００）に更に他の係止機構が設けられ、即ち切欠部（２２）に向かう収容部（２００）にの周縁に係止ブロック（２０５）が設けられ、該係止ブロック（２０５）に、該係止ブロック（２０５）をベース（２）の内部へ押圧する可能の係止部（２０４）が一体に設けられ、前記回転ケース（１０）における係合プレート（１００）の傍に係止ブロック（２０５）を係止するための凹部（１０３）が形成される。
【００１５】
前記回転部（１）における回転ケース（１０）とカバー（１１）を組合わせる場合、カバー（１１）の位置決めプレート（１１１）を回転ケース（１０）の位置決め溝（１０１）に嵌め込む。前記回転部（１）を収容部（２００）に設置する場合、先ず回転部（１）の係合プレート（１００）を係合溝（２０１）に挿入し、回転部（１）を回転させることにより、係合プレート（１００）を係合部（２０２）に嵌め込むだけでよく、この際、係止ブロック（２０５）もカバー（１１）の凹部（１０３）と位置合わせる。一方、回転部（１）を収容部（２００）から取り外す時、係止部（２０４）を押圧すると、係止ブロック（２０５）を凹部（１０３）と離間させ、回転部（１）を再び回転することにより、係合プレート（１００）を再び係合部（２０２）から係合溝（２０１）に移動した後、該回転部（１）を収容部（２００）から取り外すると共に、刃部（１０２）の設置方向を変える作業を行うことができる。
【００１６】
又、図２及び図３に示すように、各組の突出ブロック（２０３）の間に貫通孔（２０３１）が形成されることにより、導電部材（２１）の一部が貫通孔（２０３１）を通じて突出ブロック（２０３）の間に挿入され、該導電部材（２１）に収容ケース（２０）の内側に設置するための固定孔（２１０）と、ベース（２）の内部における回路板と電気接続ための接続孔（２１１）とが形成される
【００１７】
図３乃至図５に示すように、本実施例における導電プレート（３）における二つの湾曲プレート（３１）に、四つの導電部（３１０）と二つの位置決め部（３１１）とを有し、前記突出プレート（３０）が互いに対向する導電部（３１０）の一側に設けられ、位置決め部（３１１）がカバー（１１）の内部に設けられることにより、導電プレート（３）とカバー（１１）を結合させ、前記中空部（１１３）は、夫々カバー（１１）の０度、９０度、１８０度及び２７０度の位置に形成されることにより、導電部（３１０）がカバー（１１）から露出しながら、ベース（２）の導電部材（２１）と接触し、一方、突出プレート（３０）がスリット（１１２）を通じて回転ケース（１０）の内部へ伸びこみ、突出プレート（３０）の接続孔（３００）と刃部（１０２）の接続孔（１０２０）との間に電線が設けられることにより、突出プレート（３０）と刃部（１０２）を電気接続させる。
【００１８】
本考案に係る設置方向を変える電源プラグを使用する際、刃部（１０２）を電源ソケットの挿入口に挿入した後、電流が順に刃部（１０２）、電線、突出プレート（３０）、湾曲プレート（３１）の導電部（３１０）、ベース（２）の導電部材（２１）を通じることにより、電気製品に電力を提供する。
【００１９】
又、図３、図６及び図７に示すように、本考案に係る設置方向を変える電源プラグを組合わせる際、先ず回転部（１）を収容部（２００）に置き込み、この際、カバー（１１）の９０度と２７０度の位置における中空部（１１３）を突出ブロック（２０３）と位置合わせることにより、湾曲プレート（３１）の導電部（３１０）が中空部（１１３）を通じて導電部材（２１）と接触し、又、設置方向を変換する際、カバー（１１）の０度と１８０度の位置における中空部（１１３）を突出ブロック（２０３）と位置合わせることにより、湾曲プレート（３１）の導電部（３１０）が中空部（１１３）を通じて導電部材（２１）と接触する。尚、中空部（１１３）の位置は、カバー（１１）の０度、９０度、１８０度及び２７０度の位置に限らなく、導電プレート（３）と導電部材（２１）を電気接続できれば、何らの角度の位置でもよい。
【００２０】
本考案は前記の構成を有し、電源プラグの設置方向を変換することができ、電源プラグのベースが使っていないソケットの挿入口に避けて使用することにより、電源プラグを使用する利便性を高めることができる。
【図面の簡単な説明】
【００２１】
【図１】本考案に係る設置方向を変える電源プラグの斜視図である。
【図２】本考案に係る設置方向を変える電源プラグの分解斜視図である。
【図３】本考案に係る設置方向を変える電源プラグにおける回転ケースとカバーを示す分解斜視図である。
【図４】本考案に係る設置方向を変える電源プラグにおける導電プレートを示す斜視図である。
【図５】本考案に係る設置方向を変える電源プラグにおける導電プレートとカバーの結合状態を示す断面図である。
【図６】本考案に係る設置方向を変える電源プラグの使用状態を示す平面図である。
【図７】図６に示した電源プラグの内部構造を示す平面図である。
【符号の説明】
【００２２】
１          回転部              １０        回転ケース
１００      係合プレート        １０１      位置決め溝
１０２      刃部                １０２０    接続孔
１０３      凹部                １１        カバー
１１１      位置決めプレート    １１２      スリット
１１３      中空部              ２          ベース
２０        収容ケース          ２００      収容部
２０１      係合溝              ２０２      係合部
２０３      突出ブロック        ２０３１    貫通孔
２０４      係止部              ２０５      係止ブロック
２１        導電部材            ２１０      固定孔
２１１      接続孔              ２２        切欠部
３          導電プレート        ３０        突出プレート
３００      接続孔              ３１        湾曲プレート
３１０      導電部              ３１１      位置決め部
【図１】
0003148668.tif 000003
【図２】
0003148668.tif 000004
【図３】
0003148668.tif 000005
【図４】
0003148668.tif 000006
【図５】
0003148668.tif 000007
【図６】
0003148668.tif 000008
【図７】
0003148668.tif 000009